(57)【要約】      （修正有）【課題】多数の洗濯物の分配が容易かつ正確に行え、さらにコンパクトな洗濯物分配装置を提供する。【解決手段】一面に開口部を備えた複数の箱体４を一定間隔ごとに備えて縦方向に循環するコンベア手段を横方向に複数連設した洗濯物投入ラックと、洗濯物投入ラックを収納し、洗濯物投入ラックの横一列の箱体をその開口部を向けて露呈する投入口７を形成する筐体２と、投入口における各箱体に対応する位置に設けたランプ１０と、投入口近傍に設置され、箱体に投入する仕上がり洗濯物に予め被着された個別の識別部材を検知して識別するＩＤ読み取り手段９とを備え、ＩＤ読み取り手段が仕上がり洗濯物の識別コードを検知し、識別コードの仕上がり洗濯物を収納する予め特定した箱体を投入口に露呈させて、そこに仕上がり洗濯物を収納する。【選択図】図１
0003197964.tif 000002
【実用新案登録請求の範囲】
【請求項１】
一面に開口部を備えた複数の箱体を一定間隔ごとに備えて縦方向に循環するコンベアを横方向に複数連設した箱体循環部材と、
該箱体循環部材を収納し、該箱体循環部材の横一列の箱体をその開口部を向けて露呈する投入口を形成する筐体と、
該筐体の投入口における各箱体に対応する位置に設けた表示部と、
前記筐体の投入口近傍に設置され、前記箱体に投入する仕上がり洗濯物に予め被着された個別の識別コードを記録した識別部材を検知する識別コード検知手段と、を備え、
該識別コード検知手段が仕上がり洗濯物の識別コードを検知し、該識別コードの仕上がり洗濯物を収納する予め特定した箱体を投入口に露呈させて、該箱体に仕上がり洗濯物が収納されることを特徴とする洗濯物分配装置。
【請求項２】
識別部材は２次元バーコード、３次元バーコード又はＲＦタグとすることを特徴とする請求項１に記載の洗濯物分配装置。
【請求項３】
箱体は投入口に位置する際はその開口部を水平方向に向け、投入口近傍以外では開口部を上方に向けることを特徴とする請求項１又は２に記載の洗濯物分配装置。
【考案の詳細な説明】
【技術分野】
【０００１】
本考案は、洗濯が終了して仕上がった洗濯物を好適に分配することができる洗濯物分配装置であり、特にクリーニング工場、クリーニング店、病院、介護施設等において、洗濯依頼者（利用者）等が特定されている洗濯物について、利用者ごとに容易に仕分け・分配することができるように使いやすく工夫した洗濯物分配装置に関する。
【背景技術】
【０００２】
従来、洗濯物の分配方法としては、仕上がった洗濯物を袋に包んで個装した洗濯物包装品を、届け先ごとの集配籠や棚等に手作業で分配することが行われていた。
しかしながら、手作業での分配する作業は、多数の籠や棚とこれを設置するスペース、及び分配する多くの人手を要するものであり、その人手による分配作業にあっても、洗濯物に付された識別のためのタグの文字を読み取って、その識別の文字に対応する集配籠や棚に収納するという手順は、手間を要するとともに、間違いも起きやすかった。
そのため、大型のクリーニング工場などにあっては作業効率を向上させ、かつ分配の間違いをなくすために、仕上がった洗濯物をコンベアで搬送しつつ、自動的に分配する分配装置が案出されている（特許文献１参照）。
【先行技術文献】
【特許文献】
【０００３】
【特許文献１】特開平７−１９６１４１号公報
【考案の概要】
【考案が解決しようとする課題】
【０００４】
しかしながら、上述した従来の洗濯物分配装置にあっては、分配する洗濯物の利用者数を、例えば１２０とした場合に、洗濯物を分配する１２０個の籠や１２０に仕分けられた棚が必要になる。このような数の籠や棚は、かなりの大きさになってしまうことから、設置スペースが限られている工場、店舗等にあっては、このような洗濯物分配装置の導入は困難であった。
【０００５】
そこで、本考案はこのような実情に鑑みて、多数の洗濯物の分配が容易かつ正確に行え、さらにコンパクトな洗濯物分配装置を提供しようとするものである。
【課題を解決するための手段】
【０００６】
上記解決課題に鑑みて鋭意研究の結果、本考案者は、バケットコンベアを利用して多数のバケット（箱）を省スペースで備えることに想到し、本考案をなすに至った。
【０００７】
すなわち、本考案の洗濯物分配装置は、一面に開口部を備えた複数の箱体を一定間隔ごとに備えて縦方向に循環するコンベアを横方向に複数連設した箱体循環部材と、該箱体循環部材を収納し、該箱体循環部材の横一列の箱体をその開口部を向けて露呈する投入口を形成する筐体と、該筐体の投入口における各箱体に対応する位置に設けた表示部と、前記筐体の投入口近傍に設置され、前記箱体に投入する仕上がり洗濯物に予め被着された個別の識別コードを記録した識別部材を検知する識別コード検知手段と、を備え、該識別コード検知手段が仕上がり洗濯物の識別コードを検知し、該識別コードの仕上がり洗濯物を収納する予め特定した箱体を投入口に露呈させて、該箱体に仕上がり洗濯物が収納されることを特徴とする。
これにより本考案の洗濯物分配装置は、分配装置の設置域を省スペースにすることができ、そして洗濯物の分配作業も間違えなく効率的に行えるものである。
【０００８】
また、識別部材は２次元バーコード、３次元バーコード又はＲＦタグとすることを特徴とする。
【０００９】
また、箱体は投入口に位置する際はその開口部を水平方向に向け、投入口近傍以外では開口部を上方に向けることを特徴とする。
【図面の簡単な説明】
【００１０】
【図１】本考案の洗濯物分配装置を示す正面図である。
【図２】本考案の洗濯物分配装置を示す側断面図である。
【考案を実施するための形態】
【００１１】
以下、添付図面を参照しながら、本考案の洗濯物分配装置について詳細に説明する。図１及び図２は、本考案の実施の形態を例示する図であり、これらの図において、同一の符号を付した部分は同一物を表わし、基本的な構成及び動作は同様であるものとする。
【００１２】
本考案の洗濯物分配装置１は、図１及び図２に示すように、長方体型状の筐体２内に、縦方向に回転する長楕円の環状のコンベア手段３に、一面に開口部を有する複数（本実施例では１２個）の箱体４を一定間隔で配設したバケットコンベア５を、横方向に複数（本実施例では１０連）連設することにより全体として一つの仕上がり洗濯物投入ラック６を構成している。そして、この仕上がり洗濯物投入ラック６は、１０連のバケットコンベア５を一体的に上下両方向に回転する構造としている。
箱体４の内径は、洗濯して仕上がって折り畳まれた洗濯物を収納するための、例えば３０ｃｍ程度の幅と、複数枚の洗濯物を積み重ねるための例えば２５ｃｍ程度の高さを有している。この箱体４の寸法と、横一列に連設するバケットコンベア５の数と、一つのバケットコンベア５に配設する箱体４の数は、洗濯物分配装置１の使用環境に応じて適宜設定することができることとする。
【００１３】
仕上がり洗濯物投入ラック６は、筐体２前面に横長に開口して形成した投入口７に、１０個の箱体４を横一列に位置させて停止し、その箱体４の開口部を正面に向けることにより、その中に仕上がり洗濯物を出し入れすることができる。
この箱体４は、投入口７及びその前後の位置では、開口部を前方に向けるとともに、投入口７近傍以外の位置では、箱体４に収納した洗濯物が落ちないように、開口部を常に上に向けた状態でコンベア手段３により回転駆動される。
また、仕上がり洗濯物投入ラック６の前面の投入口７には、これに対応して手前に同じ高さでかつ投入口７と同じ横幅の作業台８が設置され、本機の操作者が利用することとする。この作業台８は、操作者の背丈に応じて高さを変化させることが可能であり、作業台８の高さを変化させると同時に投入口７の高さも一体的に変化させるものである。
【００１４】
図中９は、筐体２の前記投入口７のほぼ中央上方に設置されたバーコードリーダー、ＲＦＩＤリーダーなどのＩＤ読み取り手段であり、この位置から作業台８の位置まで延長して操作者の手元で使用することも可能である。このＩＤ読み取り手段９が読み取るコードは、予め洗濯物に被着されたタグ等に被着したもので、１個の洗濯物ごとに特異なコードとして利用者や、洗濯物の種類等を適宜にコード化して、２次元バーコード、３次元バーコード又はＲＦＩＤ（Radio Frequency IDentification）のＲＦタグに記録するものである。
図中１０は、１０個の箱体４に対応する位置の前記投入口７の下部に配設された１０個のランプであり、仕上がり洗濯物を出し入れする操作者が、仕上がり洗濯物投入ラック６のどの箱体４に対して操作するのかを指示するために点灯（若しくは点滅）するものである。
このほかに、ＩＤ読み取り手段９が読み取った洗濯物のコードが入力されると、バケットコンベア５の駆動モータを駆動し、該当する個所のランプ１０を点灯する制御装置（図示せず）を備えている。
【００１５】
このような構成からなる洗濯物分配装置１において、仕上がり洗濯物を分配する操作者は、上記作業台８に対面して、仕上がり洗濯物１個ごとに被着された識別部材に記録されたコードを、ＩＤ読み取り手段９を用いて読み取る。
前記制御装置は、ＩＤ読み取り手段９が読み取ったコードからこの洗濯物を、仕上がり洗濯物投入ラック６の何れの箱体４に入れるのかを特定して、その特定の箱体４を投入口７に位置させるように、バケットコンベア５を回転させる。この際、バケットコンベア５の回転方向を、図２の時計回転方向にするか、それとも反時計回転方向にするかについては、回転して移動する距離が常に最短となる方向を制御装置が選択することとする。
【００１６】
そして、上記特定の箱体４が投入口７に位置したことを、箱体４若しくはバケットコンベア５と、投入口７近傍とに設置したセンサー手段（図示せず）の組み合わせが検知して、特定の箱体４を投入口７で停止するとともに、当該個所のランプ１０を点灯若しくは点滅させて、操作者が仕上がり洗濯物を間違えることなくその箱体４に収納することを促すものである。
このようにして仕上がり洗濯物の分配が終了すると、操作者は前記制御装置に対して分配作業の終了を入力して、利用者ごとの仕上がり洗濯物についての納品書、請求書等の伝票を発行させる。
制御装置は、この伝票を発行する度に、当該伝票に該当する利用者の仕上がり洗濯物が収納された箱体４を投入口７に位置させるように、仕上がり洗濯物投入ラック６を回転させ、当該位置のランプ１０を点灯する。そして、操作者が当該箱体４から仕上がり洗濯物を取り出して、袋等にひとまとめに包装し、これに納品書、請求書等の伝票を付けて、適宜な棚などに載置するものである。
この作業を繰り返してすべての洗濯物を取り出して、一連の作業は終了する。
【００１７】
このような構成からなる本考案の洗濯物分配装置は、仕上がり洗濯物を全自動で分配する大掛かりな装置とは異なり、操作する人が必要であるものの、操作者にとって熟練を要する作業が必要ではなく、誰が操作しても間違いが起こらないようにわかりやすく単純化させた構成であって、しかも装置全体としてコンパクト化が図られるものである。
【００１８】
以上、本考案の洗濯物分配装置について、具体的な実施の形態を示して説明したが、本考案はこれらに限定されるものではない。当業者であれば、本考案の要旨を逸脱しない範囲内において、上記実施形態における洗濯物分配装置の構成及び機能に様々な変更・改良を加えることが可能である。
【産業上の利用可能性】
【００１９】
この考案に係る洗濯物分配装置は、仕上がった洗濯物を利用者別に仕分けするクリーニング工場、クリーニング店、各種施設において利用することができる。
【符号の説明】
【００２０】
１  洗濯物分配装置
２  筐体
３  コンベア手段
４  箱体
５  バケットコンベア
６  洗濯物投入ラック
７  投入口
８  作業台
９  ＩＤ読み取り手段
１０  ランプ
【図１】
0003197964.tif 000003
【図２】
0003197964.tif 000004